(57)【要約】【課題】多様性のあるコースであってユーザの意思が反映されたコースを呈示することができるようにする。【解決手段】スタート地点５０１からゴール地点５０２までの３．４５ｋｍ（０．４５＋２．５５＋０．４５＝３．４５）を会員５０３がランニングした後、リスト端末でＯＫ操作を行うと、このスタート地点５０１からゴール地点５０２までの３．４５ｋｍからなるコースが当該会員５０３のマイコースとして登録される。また、会員５０３がスタート地点を０．４５ｋｍ短縮した補正スタート地点５０４を指定すると、補正スタート地点５０４からゴール地点５０２までの３ｋｍのコースが作成され、登録される。会員５０３がゴール地点も０．４５ｋｍ短縮した補正ゴール地点５０５を指定すると、補正スタート地点５０４から補正ゴール地点５０５までの２．５５ｋｍのコースが作成され、登録される。【選択図】図７
2014061260.tif 000002
【特許請求の範囲】
【請求項１】
コースを作成する際に作成条件情報として、エリアを示すエリア情報、ランドマークを示すランドマーク情報の少なくとも１つを取得する取得手段と、
前記取得手段により取得された作成条件情報に基づき、周回可能なコースの構成要素を特定する特定手段と、
前記特定手段により特定された構成要素を含むように周回コースを作成する作成手段と
を備えることを特徴とするコース作成支援装置。
【請求項２】
前記取得手段は、前記作成条件情報として、さらに、コースの距離を示す情報を取得することを特徴とする請求項１記載のコース作成支援装置。
【請求項３】
前記取得手段は、前記作成条件情報として、さらに、コースの所要時間を示す情報を取得することを特徴とする請求項１記載のコース作成支援装置。
【請求項４】
前記作成手段により作成されたコースを補正する補正手段をさらに備えることを特徴とする請求項１乃至３のいずれかに記載のコース作成支援装置。
【請求項５】
前記補正手段は、コースの経路を補正する経路補正手段、所要時間を補正する時間補正手段、距離を補正する距離補正手段の少なくとも一つを含むことを特徴とする請求項４記載のコース作成支援装置。
【請求項６】
前記作成手段により作成され、又は前記補正手段により補正されたコースを記録する記録手段をさらに備えることを特徴とする請求項１乃至５のいずれかに記載のコース作成支援装置。
【請求項７】
前記作成手段により作成され、又は前記補正手段により補正されたコースを表示する表示手段をさらに備えることを特徴とする請求項１乃至５のいずれかに記載のコース作成支援装置。
【請求項８】
前記作成手段により作成され、又は前記補正手段により補正されたコースをインターネットに送信する送信手段をさらに備えることを特徴とする請求項１乃至５のいずれかに記載のコース作成支援装置。
【請求項９】
前記取得手段はコースを作成する際に作成条件情報として、エリアを示すエリア情報を取得し、前記作成手段は前記エリア情報の示すエリア内で距離が最大となるコースを作成することを特徴とする請求項１乃至５のいずれかに記載のコース作成支援装置。
【請求項１０】
コンピュータを、
コースを作成する際に作成条件情報として、エリアを示すエリア情報、ランドマークを示すランドマーク情報の少なくとも１つを取得する取得手段と、
前記取得手段により取得された作成条件情報に基づき、周回可能なコースの構成要素を特定する特定手段と、
前記特定手段により特定された構成要素を含むように周回コースを作成する作成手段と
して機能させることを特徴とするプログラム。
【請求項１１】
コースを作成する際に作成条件情報として、エリアを示すエリア情報、ランドマークを示すランドマーク情報の少なくとも１つを取得する取得ステップと、
前記取得ステップで取得された作成条件情報に基づき、周回可能なコースの構成要素を特定する特定ステップと、
前記特定ステップで特定された構成要素を含むように周回コースを作成する作成ステップと
を含むことを特徴とするコース作成支援方法。
【請求項１２】
ネットワークを介して接続される端末とサーバーとで構成されるコース作成支援システムにおいて、
前記端末は、
コースを作成する際に作成条件情報として、エリアを示すエリア情報、ランドマークを示すランドマーク情報の少なくとも１つを取得する取得手段と、
前記取得手段により取得された作成条件を送信する送信手段と、
を備え、
前記サーバーは、
前記送信手段により送信された前記条件を受信する受信手段と、
前記受信手段により受信された作成条件情報に基づき、周回可能なコースの構成要素を特定する特定手段と、
前記特定手段により特定された構成要素を含むように周回コースを作成する作成手段と
を備えることを特徴とするコース作成支援システム。
【請求項１３】
前記サーバーは、
前記作成手段により作成されたコースを補正する補正手段をさらに備えることを特徴とする請求項１２記載のコース作成支援システム。
【請求項１４】
前記サーバーは、
前記作成手段により作成され、又は前記補正手段により補正した周回コースを前記端末に送信する送信手段を備えることを特徴とする請求項１２又は１３記載のコース作成支援システム。
【請求項１５】
前記サーバーは、
前記作成手段により作成され、又は前記補正手段により補正されたコースを記録する記録手段をさらに備えることを特徴とする請求項１２又は１３記載のコース作成支援システム。
【請求項１６】
前記端末は、
前記サーバーから受信したコースを記録する記録手段をさらに備えることを特徴とする請求項１２又は１３記載のコース作成支援システム。
【請求項１７】
ネットワークを介して接続される端末とサーバーとで構成されるコース作成支援システムにおける前記端末であって、
コースを作成する際に作成条件情報として、エリアを示すエリア情報、ランドマークを示すランドマーク情報の少なくとも１つを取得する取得手段と、
前記取得手段により取得された作成条件を送信する送信手段と
を備えることを特徴とする端末。
【請求項１８】
ネットワークを介して接続される端末とサーバーとで構成されるコース作成支援システムにおける前記サーバーであって、
前記端末の送信手段により送信されたコースを作成する際に作成条件情報としてのエリアを示すエリア情報、ランドマークを示すランドマーク情報の少なくとも１つを受信する受信手段と、
前記受信手段により受信された作成条件情報に基づき、周回可能なコースの構成要素を特定する特定手段と、
前記特定手段により特定された構成要素を含むように周回コースを作成する作成手段と
を備えることを特徴とするサーバー。
【発明の詳細な説明】
【技術分野】
【０００１】
本発明は、コースの作成を支援するコース作成支援装置並びにプログラム、コース作成支援方法及びコース作成支援システムに関する。
【背景技術】
【０００２】
従来におけるコースの作成支援装置として、開示された技術が知られている（例えば下記特許文献１参照）。この技術にあっては、パソコン上でプログラムが実行されることにより、習慣コース生成部、情報取得部、コース検索部、表示生成部が設けられる。そして、情報取得部が取得した状態情報および環境情報に基づいて、習慣コース生成部が所定の基準でユーザの習慣コースを生成する。コース検索部は、情報取得部がユーザの要求を取得すると、ジョギングコースＤＢ（database）が記憶しているジョギングコースの中から、習慣コースに最も近似するジョギングコースを検索する。表示生成部は、検索したジョギングコースを表示する画像を生成してユーザに提示する。これにより、ユーザは日常的に行っているジョギングに近似するジョギングコースを取得することができる。
【先行技術文献】
【特許文献】
【０００３】
【特許文献１】特開２０１１−１２０７４０号公報
【発明の概要】
【発明が解決しようとする課題】
【０００４】
このように、前述の従来技術は、ユーザが日常的に行っているジョギングに近似するジョギングコースを、ジョギングコースＤＢに記憶されている既成のジョギングコースの中から選択して表示により呈示するものである。したがって、呈示されるコースはユーザが日常的に行っているジョギングに近似するジョギングコースに限定されることとなる。しかも、ジョギングコースＤＢに予め記憶されている既成のコースを選択して呈示するのであるから、呈示されるコースに多様性はない。また、ユーザの意思が反映されたものではない。
本発明は上記事情に鑑みてなされたもので、多様性のあるコースであってユーザの意思が反映されたコースを呈示することのできるコース作成支援装置並びにコース作成支援方法及びコース作成支援システムを提供すること目的とする。
【課題を解決するための手段】
【０００５】
前記課題を解決するため、請求項１記載の発明は、コースを作成する際に作成条件情報として、エリアを示すエリア情報、ランドマークを示すランドマーク情報の少なくとも１つを取得する取得手段と、前記取得手段により取得された作成条件情報に基づき、周回可能なコースの構成要素を特定する特定手段と、前記特定手段により特定された構成要素を含むように周回コースを作成する作成手段とを備えることを特徴とするコース作成支援装置を提供する。
【０００６】
請求項１０記載の発明は、コンピュータを、コースを作成する際に作成条件情報として、エリアを示すエリア情報、ランドマークを示すランドマーク情報の少なくとも１つを取得する取得手段と、前記取得手段により取得された作成条件情報に基づき、周回可能なコースの構成要素を特定する特定手段と、前記特定手段により特定された構成要素を含むように周回コースを作成する作成手段として機能させることを特徴とするプログラムを提供する。
【０００７】
請求項１１記載の発明は、コースを作成する際に作成条件情報として、エリアを示すエリア情報、ランドマークを示すランドマーク情報の少なくとも１つを取得する取得ステップと、前記取得ステップで取得された作成条件情報に基づき、周回可能なコースの構成要素を特定する特定ステップと、前記特定ステップで特定された構成要素を含むように周回コースを作成する作成ステップとを含むことを特徴とするコース作成支援方法を提供する。
【０００８】
請求項１２記載の発明は、ネットワークを介して接続される端末とサーバーとで構成されるコース作成支援システムにおいて、前記端末は、コースを作成する際に作成条件情報として、エリアを示すエリア情報、ランドマークを示すランドマーク情報の少なくとも１つを取得する取得手段と、前記取得手段により取得された作成条件を送信する送信手段と、を備え、前記サーバーは、前記送信手段により送信された前記条件を受信する受信手段と、前記受信手段により受信された作成条件情報に基づき、周回可能なコースの構成要素を特定する特定手段と、前記特定手段により特定された構成要素を含むように周回コースを作成する作成手段とを備えることを特徴とするコース作成支援システムを提供する。
【０００９】
請求項１７記載の発明は、ネットワークを介して接続される端末とサーバーとで構成されるコース作成支援システムにおける前記端末であって、コースを作成する際に作成条件情報として、エリアを示すエリア情報、ランドマークを示すランドマーク情報の少なくとも１つを取得する取得手段と、前記取得手段により取得された作成条件を送信する送信手段とを備えることを特徴とする端末を提供する。
【００１０】
請求項１８記載の発明は、ネットワークを介して接続される端末とサーバーとで構成されるコース作成支援システムにおける前記サーバーであって、前記端末の送信手段により送信されたコースを作成する際に作成条件情報としてのエリアを示すエリア情報、ランドマークを示すランドマーク情報の少なくとも１つを受信する受信手段と、前記受信手段により受信された作成条件情報に基づき、周回可能なコースの構成要素を特定する特定手段と、前記特定手段により特定された構成要素を含むように周回コースを作成する作成手段とを備えることを特徴とするサーバーを提供する。
【発明の効果】
【００１１】
本発明によれば、多様性のあるコースであってユーザの意思が反映されたコースを呈示することができる。
【図面の簡単な説明】
【００１２】
【図１】本発明の一実施の形態に係るコース作成支援システムの全体構成を示すブロック図である。
【図２】同実施の形態に係るコース作成支援システムのイメージを説明する図である。
【図３】サーバーの構成を示す概略ブロック図である。
【図４】リスト端末の構成を示す概略ブロック図である。
【図５】スマホ端末及びＰＣの構成を示す概略ブロック図である。
【図６】第１の実施の形態の処理手順を示すフローチャートである。
【図７】同実施の形態の動作を示す説明図である。
【図８】第２の実施の形態の処理手順を示すフローチャートである。
【図９】同実施の形態の動作を示す説明図である。
【図１０】第３の実施の形態の処理手順を示すフローチャートである。
【図１１】同実施の形態の動作を示す説明図である。
【図１２】第４の実施の形態の処理手順を示すフローチャートである。
【図１３】同実施の形態の動作を示す説明図である。
【図１４】第５の実施の形態の処理手順を示すフローチャートである。
【図１５】同実施の形態の動作を示す説明図である。
【図１６】第６の実施の形態の処理手順を示すフローチャートである。
【図１７】同実施の形態の動作を示す説明図である。
【図１８】第７の実施の形態の処理手順を示すフローチャートである。
【図１９】同実施の形態の動作を示す説明図である。
【発明を実施するための形態】
【００１３】
以下、本発明の実施の形態について図面を参照して説明する。
図１は、本実施の形態に係るコース作成支援システムの全体構成を示すブロック図である。
サーバー１１を含むＳＮＳサイト１０は、インターネット５００を介して会員のスマホ端末１−１、１−２、１−３、・・・、リスト端末２−１、２−２、２−３・・・及びＰＣ（Personal Computer）３−１と接続される。また、リスト端末２−１、２−２、２−３、・・・は腕に装着可能な腕時計型のリスト端末であり、スマホ端末１−１、１−２、１−３と無線でも接続可能である。スマホ端末１−１、・・・は、アプリケーションプログラムをインストールして、ＳＮＳサイト１０との連携を図る動作をする。また、リスト端末２−１、・・・にも比較的軽いアプリケーションプログラムをインストールしてスマホ端末１−１、・・・との連携を図るように動作する。また、リスト端末２−１、・・・とサーバー１１を直接接続して、スマホ端末１−１、・・・を経由しなくても情報交換ができるルートも用意されている。
【００１４】
図２は、本実施の形態に係るコース作成支援システムのイメージを説明する図である。ＳＮＳサイト１０を介して、トレーニングする会員が装着するリスト端末２−１、２−２、スマホ端末１−１、ＰＣ３が接続される。これにより、ＳＮＳサイト１０で作成したコースを、リスト端末２−１を装着してトレーニングしている会員、あるいはリスト端末２−２を装着しているトレーニングしている他の会員に送ったり、会員のスマホ端末１−１やＰＣ３に送ることができる。なお、ＳＮＳサイト１０としてクラウドサービスを用いることができる。
【００１５】
図３は、サーバー１１の概略構成を示すブロック図である。
図において、１０２はＣＰＵであり、システム全体を制御する。１０４はプログラムメモリであり、各種制御プログラムが記憶されている。ＣＰＵ１０２はプログラムメモリ１０４のプログラムを実行することにより各種処理を行う。１０４１はコース設定プログラムであり、後述するコースを設定するためのプログラムである。コースは、ユーザ自身がリスト端末２−１を腕に装着して実際に走ったコースをトレースして設定してもよいし、地図上をなぞってコース設定してもよいし、ランドマークを指定してそのランドマークを経由する、あるいは周回する５キロコース、１０キロコースなどの設定を視点もよい。実際の地図と、指定したコースの誤差は公知のマップマッチング技術で修正できる。
【００１６】
１０６は会員管理部であり、ＳＮＳシステムとして会員を管理する。友人関係もここで管理している。また、プロフィール画像Ｐ１も会員毎に記憶されて管理されている。１２０は、ユーザが複数回のトレーニングを行って、その結果を後で比較できるように、トレーニングの履歴を保存しておく履歴メモリである。
【００１７】
１３０は各種コースが設定されているコースメモリである。サーバー１１が予め作成した既存のコースが複数用意されている。例えば東京マラソンコース、ホノルルマラソンコース、皇居前ジョギングコース、などであり、これらが設定コースＡ、Ｂ、Ｃ、・・・の１３０Ａ、１３０Ｂ、１３０Ｃ、・・・である。また、ユーザが自分で設定し登録したコースはマイコース１、２、３、・・・の１３０１、１３０２、１３０３、・・・である。
【００１８】
図４は、リスト端末２−１の構成を示す概略ブロック図である。４０は、表示部でありＬＣＤとこれを駆動する駆動回路等から構成されている。２５４は、表示部４０の表示状態を制御する表示制御部である。２５６は、入力部であり、各種キーやスイッチを有して構成される。２３０は、各種コースが設定されているコースメモリである。予めサーバー１１からダウンロードしたコースが複数記憶される。前記サーバー１１のコースメモリ１３０と同様に、例えば東京マラソンコース、ホノルルマラソンコース、皇居前ジョギングコース、などが記憶されることもある。
【００１９】
２５０は、ＧＰＳ部であり、公知のＧＰＳ（Global Positioning System）を利用して現在位置を計測する。すなわちＧＰＳ部２５０は、複数の測位衛星（ＧＰＳ衛星）から送られてくる電波をアンテナにより受信することによって、現在位置を示す緯度、経度からなる位置データを取得し、取得した位置データを、使用者の行動場所を示す場所情報としてＣＰＵ２０２に供給する。２５２は、センサーであり、３軸地磁気センサー、１軸加速度センサーおよび１軸ジャイロ等で構成されている。したがって、ＧＰＳ部２５０に加えて３軸地磁気センサー、１軸加速度センサーおよび１軸ジャイロ等を用いてリスト端末１の進行方向を計測することをも可能で、これにより一層精度を上げることができる。
【００２０】
２０２は、ＣＰＵであり、リスト端末２−１全体を制御する。１０４はプログラムメモリであり、制御プログラム２０４１及びアプリケーションプログラム２０４２等が予め記憶されている。制御プログラム２０４１はリスト端末全体を制御する基本的な制御プログラムであり、アプリケーションプログラム２０４２は、スマホ端末１−１や協働やサーバー１１と協働するためのプログラムである。２５８は携帯型端末との間で、ブルートゥース（登録商標）のリンクを行うＩ／Ｆであり、２６０はＷｉ−Ｆｉなどでサーバーとのリンクを行うＩ／Ｆである。
【００２１】
図５は、スマホ端末１−１及びＰＣ３の構成を示す概略ブロック図である。スマホ端末１−１及びＰＣ３は、ＧＰＳ部２５０及びセンサー２５２を有していない点においてのみ前述のリスト端末２−１とは異なるが、その他の構成はリスト端末２−１と同様である。すなわち、３４０は、表示部でありＬＣＤとこれを駆動する駆動回路等から構成されている。３５４は、表示部３４０の表示状態を制御する表示制御部である。３５６は、入力部であり、スマホ端末１−１の場合には各種キーやスイッチを有して構成され、ＰＣ３の場合にはこれらにマウスも加わる。３３０は、各種コースが設定されているコースメモリである。予めサーバー１１からダウンロードしたコースが複数記憶される。
【００２２】
３０２は、ＣＰＵであり、スマホ端末１−１やＰＣ３全体を制御する。３０４はプログラムメモリであり、制御プログラム３０４１及びアプリケーションプログラム３０４２等が予め記憶されている。制御プログラム３０４１はスマホ端末１−１、ＰＣ３全体を制御する基本的な制御プログラムであり、アプリケーションプログラム３０４２は、リスト端末２−１や協働やサーバー１１と協働するためのプログラムである。２５８は携帯型端末との間で、ブルートゥース（登録商標）のリンクを行うＩ／Ｆであり、２６０はＷｉ−Ｆｉなどでサーバーとのリンクを行うＩ／Ｆである。
【００２３】
（第１の実施の形態）
本発明の第１の実施の形態は、インターネット５００を介して接続された会員のリスト端末２−１とＳＮＳサイト１０のサーバー１１とを用いるコース作成支援システムである。図６は、本実施の形態におけるサーバー１１の処理手順を示すフローチャートである。会員は、リスト端末２−１で入力部２５６を操作することにより、表示部４０に表示されている地図上で、ゴール地点としようとする座標を指定する。すると、このゴール地点を示す情報がインターネット５００を介してサーバー１１に送信され、サーバー１１は当該会員のゴール地点を設定する（ステップＳ１０１）。
【００２４】
一方、リスト端末２−１は、ＧＰＳ部２５０により一定の時間間隔で現在位置を検出してサーバー１１に送信している。サーバー１１は、前記ゴール地点を設定した後の現在位置の変化の有無により、会員がランニングを開始すべくスタートしたか否かを判断する（ステップＳ１０２）。スタートしたと判断したならば、その直前に受信したＧＰＳ部２５０からの現在位置をスタート地点として設定する（ステップＳ１０３）。
【００２５】
このようにして会員がランニングを開始すると、サーバー１１は前述のようにＧＰＳ部２５０により一定の時間間隔で送信される現在位置を受信したか否かをチェックし（ステップＳ１０４）、受信する毎に受信した位置と、時刻とを記録していく（ステップＳ１０５）。また、受信した現在位置とゴール地点とを比較することにより、会員がゴール地点に到達したか否かを判断する（ステップＳ１０６）。
【００２６】
会員がゴール地点に達したならば、前記ステップＳ１０５で記録している一定時間毎の位置を連続させることにより、当該会員がランニングにより移動した移動軌跡を生成する（ステップＳ１０７）。そして、この移動軌跡を地図上で表示したコースを作成するとともに、当該コースの距離を算出し、これらコースと距離とをリスト端末２−１に送信して、表示部４０に表示させる（ステップＳ１０８）。
【００２７】
この表示部４０に表示されたコース及び距離を視認した会員は、当該コース及び距離が満足である場合には、リスト端末２−１で入力部２５６を操作してＯＫ信号を送信する。サーバー１１は、当該会員リスト端末２−１からのＯＫ信号を受信したか否かを判断する（ステップＳ１０９）。そして、ＯＫ信号を受信したならば、当該距離のコースを当該会員のマイコース１３０１〜１３０３として登録する（ステップＳ１１０）。
【００２８】
したがって、図７に示すように、スタート地点５０１からゴール地点５０２までの３．４５ｋｍ（０．４５＋２．５５＋０．４５＝３．４５）を会員５０３がランニングした後、リスト端末２−１でＯＫ操作を行うと、このスタート地点５０１からゴール地点５０２までの３．４５ｋｍからなるコースが当該会員５０３のマイコースとして登録されることになる。
【００２９】
かかるコースにあっては、会員５０３が実際にランニングした結果気に入ったコースであるから、会員５０３の意思が反映されたものとなる。また、どのようなコースでランニングするかは、会員によってことなることから、多様性のあるコースでもあり、よって多様性がありユーザの意思が反映されたコースを作成することができる。
【００３０】
また、ステップＳ１０９での判断の結果ＯＫ信号を受信しない場合には、リスト端末２−１からのスタート地点変更指示を受信したか否かを判断する（ステップＳ１１１）。スタート地点変更指示を受信したならば、引き続きリスト端末２−１から送信されてきた変更内容に従ってスタート地点を変更する（ステップＳ１１２）。
【００３１】
したがって、図７に示すように、会員５０３がスタート地点を０．４５ｋｍ短縮した補正スタート地点５０４を指定すると、補正スタート地点５０４からゴール地点５０２までの３ｋｍのコースが作成される。また、この状態でＯＫ操作を行うと、補正スタート地点５０４からゴール地点５０２までの３ｋｍのコースがマイコースとして登録されることとなる。
【００３２】
また、ステップＳ１１２に続くステップＳ１１３では、リスト端末２−１からのゴール地点変更指示を受信したか否かを判断する。ゴール地点変更指示を受信したならば、引き続きリスト端末２−１から送信されてきた変更内容に従ってゴール地点を変更する（ステップＳ１１４）。
【００３３】
したがって、図７に示すように、会員５０３がゴール地点も０．４５ｋｍ短縮した補正ゴール地点５０５を指定すると、補正スタート地点５０４から補正ゴール地点５０５までの２．５５ｋｍのコースが作成される。また、この状態でＯＫ操作を行うと、補正スタート地点５０４から補正ゴール地点５０５までの２．５５ｋｍのコースがマイコースとして登録されることとなる。
【００３４】
つまり、本実施の形態においては、下記コースのいずれかをマイコースとして登録することが可能となる。
（１）スタート地点５０１からゴール地点５０２までの３．４５ｋｍのコース
（２）補正スタート地点５０４からゴール地点５０２までの３ｋｍのコース
（３）スタート地点５０１から補正ゴール地点５０５までの３ｋｍのコース
（４）補正スタート地点５０４から補正ゴール地点５０５までの２．５５ｋｍのコース
【００３５】
（第２の実施の形態）
本発明の第２の実施の形態も、インターネット５００を介して接続された会員のリスト端末２−１とＳＮＳサイト１０のサーバー１１とを用いるコース作成支援システムである。図８は、本実施の形態におけるサーバー１１の処理手順を示すフローチャートである。このフローチャートにおいて、ステップＳ２０１〜Ｓ２１０の処理は、図６に示した第１の実施の形態におけるステップＳ１０１〜Ｓ１１０の処理と同一である。そして、ステップＳ２０９の判断がＮＯであって、リスト端末２−１からＯＫ信号を受信しない場合には、引き続き送信される補正距離を受信する（ステップＳ２１１）。この補正距離を受信したならば、この補正距離からなるＸ個の補正コースであるパターン１〜パターンＸを作成してリスト端末２−１に送信し、表示部４０に表示させる（ステップＳ２１２）。
【００３６】
つまり、図９に示すように、スタート地点５０１からゴール地点５０２までの３．４５ｋｍ（０．４５＋２．５５＋０．４５＝３．４５）を会員５０３がランニングした後、補正距離として例えば５ｋｍを送信したとする。すると、サーバー１１は、３．４５ｋｍのコースを会員が要望する５ｋｍのコースにするために、地点５０４→５０６→５０７→５０８→５０９→５０５を通過する鎖線で示した４．１ｋｍからなるコースを作成する。更に、この地点５０４→５０６→５０７→５０８→５０９→５０５を通過する４．１ｋｍに、スタート地点５０１から地点５０４までの０．４５ｋｍ、及び地点５０５からゴール地点５０２までの０．４５ｋｍを加えた５ｋｍ（４．１＋０．４５＋０．４５＝５）の補正コース：パターン１を表示部４０に表示させる。
【００３７】
また、図示しないが同様に５ｋｍではあるが経路が異なるパターンＸまでのコースを表示部４０に切替表示させる。そして、パターン１〜パターンＸまでのコースのいずれかが表示部４０表示されている状態で、これをリスト端末２−１にて選択する操作を行うと、選択信号がリスト端末２−１からサーバー１１に送信されて、ステップＳ２１３の判断がＹＥＳとなる。よって、サーバー１１は、ステップＳ２１３からステップＳ２１０に処理を進めて、選択された補正コースを当該会員のマイコースとして登録する。
【００３８】
したがって、本実施の形態によれば、実際のスタート地点とゴール地点を共通にするが会員の要望する距離であって、経路の異なる多様なコースをマイコースとして登録することができる。
【００３９】
（第３の実施の形態）
本発明の第３の実施の形態は、インターネット５００を介して接続された会員のリスト端末２−１、スマホ端末１−１、ＰＣ３のいずれか（以下、これらを総称して会員端末という）とＳＮＳサイト１０のサーバー１１とを用いるコース作成支援システムである。図１０は、本実施の形態におけるサーバー１１の処理手順を示すフローチャートである。サーバー１１は、会員端末からの要求に応じて地図データを送信し、会員端末に地図を表示させる（ステップＳ３０１）。会員は、表示された地図を参照しつつ、図１１に示すように、閉ループ５１０により周回コースを設定すべきエリアを指定する。すると、会員端末側からこの指定エリアを示すエリア情報が送信され、サーバー１１はこれを受信する（ステップＳ３０２）。
【００４０】
引き続きサーバー１１は、この閉ループ５１０内にて周回コースを作成し、この作成した周回コースと距離とを会員端末に送信して表示させる（ステップＳ３０３）。この表示されたコース及び距離を視認した会員は、当該コース及び距離が満足である場合には、リスト端末２−１で入力部２５６を操作してＯＫ信号を送信する。サーバー１１は、当該会員リスト端末２−１からのＯＫ信号を受信したか否かを判断する（ステップＳ３０４）。そして、ＯＫ信号を受信したならば、当該距離のコースを当該会員のマイコース１３０１〜１３０３として登録する（ステップＳ３０５）。
【００４１】
ステップＳ３０５の判断がＮＯであって、リスト端末２−１からＯＫ信号を受信しない場合には、引き続き送信される補正距離を受信する（ステップＳ３０６）。この補正距離を受信したならば、この補正距離からなるＸ個の補正周回コースであるパターン１〜パターンＸを作成してリスト端末２−１に送信し、表示部４０に表示させる（ステップＳ３０７）。
【００４２】
つまり、図１１に示すように、会員が補正距離として５ｋｍを指定したとすると、地点５０１→５１１→５１２→５１３→５１４→５１５→５１６→５１７→５０１を通過する鎖線で示した５ｋｍからなる周回コースを例えばパターン１として呈示する。また、図示しないが同様に５ｋｍではあるが経路が異なるパターンＸまでの補正周回コースを表示部４０に切替表示させる。そして、パターン１〜パターンＸまでの補正周回コースのいずれかが表示されている状態で、これを会員端末にて選択する操作を行うと、選択信号がリスト端末２−１からサーバー１１に送信されて、ステップＳ３０８の判断がＹＥＳとなる。よって、サーバー１１は、ステップＳ３０８からステップＳ３０５に処理を進めて、選択された補正周回コースを当該会員のマイコースとして登録する。
【００４３】
したがって、本実施の形態によれば、会員が要望する地域（エリア）内であって、要望する距離であり経路の異なる多様な周回コースをマイコースとして登録することができる。無論、このとき、図示の自宅を含むような閉ループを設定すれば、自宅が含まれる周回コースをマイコースとして登録することもできる。
【００４４】
（第４の実施の形態）
本発明の第４の実施の形態も、インターネット５００を介して接続された会員端末とＳＮＳサイト１０のサーバー１１とを用いるコース作成支援システムである。図１２は、本実施の形態におけるサーバー１１の処理手順を示すフローチャートである。サーバー１１は、会員端末からの要求に応じて地図データを送信し、会員端末に地図を表示させる（ステップＳ４０１）。会員は、表示された地図を参照しつつ、図１３に示すように、周回コースの中心とすることを所望するランドマーク５０８を指定する。すると、会員端末側からこのランドマーク５０８を示す情報が送信され、サーバー１１はこれを受信し、中心ランドマークとして設定する（ステップＳ４０２）。
【００４５】
更に、会員は、表示された地図を参照しつつ、図１３に示すように、閉ループ５１０により周回コースを設定すべきエリアを指定する。すると、会員端末側からこの指定エリアを示すエリア情報が送信され、サーバー１１はこれを受信してエリアを設定する（ステップＳ４０３）。
【００４６】
このとき、会員端末から最長距離を送信して作成される周回コースの最長距離を指定するようにしてもよい。
【００４７】
引き続きサーバー１１は、この閉ループ５１０内にて、ランドマーク５８１を中心とした前記最長距離からなる周回コースを作成し、この作成した周回コースと距離とを会員端末に送信して表示させる（ステップＳ４０５）。この表示されたコース及び距離を視認した会員は、当該周回コース及び距離が満足である場合には、リスト端末２−１で入力部２５６を操作してＯＫ信号を送信する。サーバー１１は、当該会員リスト端末２−１からのＯＫ信号を受信したか否かを判断する（ステップＳ４０６）。そして、ＯＫ信号を受信したならば、当該距離のコースを当該会員のマイコース１３０１〜１３０３として登録する（ステップＳ４０７）。
【００４８】
ステップＳ４０６の判断がＮＯであって、リスト端末２−１からＯＫ信号を受信しない場合には、引き続き送信される補正エリアの閉ループを示す情報を受信する（ステップＳ４０８）。この補正エリアの閉ループを示す情報を受信したならば、この補正エリアとして、再度ランドマーク５８１を中心とした周回コースを作成し、この作成した周回コースと距離とを会員端末に送信して表示させる（ステップＳ４０５）。
【００４９】
また、ステップＳ４０８の判断がＮＯであって、補正エリアの設定がない場合には、引き続き送信される補正距離を示す情報を受信する（ステップＳ４０９）。この補正距離を示す情報を受信したならば、この補正距離からなり、ランドマーク５８１を中心とした周回コースを再度作成し、この作成した周回コースと距離とを会員端末に送信して表示させる（ステップＳ４０５）。そして、ＯＫ信号を受信したならば、当該距離のコースを当該会員のマイコース１３０１〜１３０３として登録する（ステップＳ４０７）。
【００５０】
したがって、本実施の形態によれば、会員が所望するランドマークを中心とした周回コースであって、経路及び距離が異なる複数の周回コースの中から当該会員が所望する周回コースを選択して登録することができる。
【００５１】
（第４の実施の形態の変形例）
本発明の第４の実施の形態の変形例は、図１２のフローチャートにおけるステップ４０１〜４０２までは第４の実施の形態と同一の処理である。
【００５２】
このあと、更に、会員は、周回コースの距離又は、所要時間を指定する。すると、会員端末側からこの指定した距離又は、所要時間の情報が送信され、サーバー１１はこれを受信して距離又は、所要時間を設定する。
引き続きサーバー１１は、ランドマークを中心とし、指定した距離又は、所要時間からなる周回コースを作成し、この作成した周回コースと距離とを会員端末に送信して表示させる。
【００５３】
すなわち、距離を指定した場合は、指定した距離となるように前記ランドマークを周回する地図上のコースを計算して作成する。これにより、ランドマーク周回１０キロコース、２０キロコース等を作成できる。
【００５４】
また、時間を指定した場合は、平均速度、または指定速度、またはユーザーに適した速度で移動した際に、その指定時間となるような前記ランドマークを周回する地図上のコースを計算して作成する。これにより、ランドマーク周回３０分コース、１時間コース等を作成できる。
【００５５】
なお、距離や時間を調整するために、同じ道を複数回通ってもよく、折り返し地点があってもよい。
この表示されたコース及び距離を視認した会員は、当該周回コース及び距離が満足である場合には、リスト端末２−１で入力部２５６を操作してＯＫ信号を送信する。サーバー１１は、当該会員リスト端末２−１からのＯＫ信号を受信したか否かを判断する。そして、ＯＫ信号を受信したならば、当該距離のコースを当該会員のマイコース１３０１〜１３０３として登録する。
判断がＮＯであって、リスト端末２−１からＯＫ信号を受信しない場合には、引き続き送信される補正距離又は、所要時間を示す情報を受信する。この補正情報を受信したならば、再度ランドマーク５８１を中心とした周回コースを作成し、この作成した周回コースと距離とを会員端末に送信して表示させる。そして、ＯＫ信号を受信したならば、当該距離のコースを当該会員のマイコース１３０１〜１３０３として登録する。
【００５６】
したがって、本実施の形態によれば、会員が所望するランドマークを中心とした周回コースであって、経路及び距離又は、所要時間が異なる複数の周回コースの中から当該会員が所望する周回コースを選択して登録することができる。
【００５７】
（第５の実施の形態）
本発明の第５の実施の形態は、インターネット５００を介して接続された会員端末とＳＮＳサイト１０のサーバー１１とを用いるコース作成支援システムである。図１４は、本実施の形態におけるサーバー１１の処理手順を示すフローチャートである。サーバー１１は、会員端末からの要求に応じて地図データを送信し、会員端末に地図を表示させる（ステップＳ５０１）。また、会員が周回コースの距離（例えば、３ｋｍ）を指定すると、会員端末側からこの指定距離を示す情報が送信され、サーバー１１はこれを受信する（ステップＳ５０２）。
【００５８】
更に、会員が、表示された地図を参照しつつ、図１１に示すように、閉ループ５１０により周回コースを設定すべきエリアを指定する。すると、会員端末側からこの指定エリアを示すエリア情報が送信され、サーバー１１はこれを受信する（ステップＳ５０３）。
【００５９】
引き続きサーバー１１は、この閉ループ５１０内にて、前記指定された距離の周回コースを含む複数の周回コースである推奨１、推奨２、推奨３・・・を作成し、この作成した複数の周回コースと距離とを会員端末に送信して表示させる（ステップＳ５０４）。このステップＳ５０４での処理により、図１５に示すように、推奨１〜推奨３の周回コースが表示される。また、この推奨１〜推奨３には、会員が指定した距離からなる周回コース（推奨１）が含まれている。
【００６０】
この表示されたコース及び距離を視認した会員は、推奨１〜推奨３コースのいずれかが満足である場合には、リスト端末２−１で入力部２５６を操作して当該推奨コースを選択するとともにＯＫ信号を送信する。サーバー１１は、当該会員リスト端末２−１からの推奨コース番号とＯＫ信号を受信したか否かを判断する（ステップＳ５０５）。そして、ＯＫ信号を受信したならば、当該選択された推奨コース及びその距離を当該会員のマイコース１３０１〜１３０３として登録する（ステップＳ５０６）。
【００６１】
ステップＳ５０５の判断がＮＯであって、リスト端末２−１からＯＫ信号を受信しない場合には、引き続き送信される補正距離を受信する（ステップＳ５０７）。この補正距離を受信したならば、この補正距離からなる補正周回コースを作成して会員端末に送信し、表示させる（ステップＳ５０８）。そして、補正周回コースのが表示されている状態で、これを会員端末にて選択する操作を行うと、選択信号がリスト端末２−１からサーバー１１に送信されて、ステップＳ５０５の判断がＹＥＳとなる。よって、サーバー１１は、ステップＳ５０５からステップＳ５０６に処理を進めて、選択された補正周回コースを当該会員のマイコースとして登録する。
【００６２】
したがって、本実施の形態によれば、異なる距離からなる複数の推奨周回コースから選択したコースをマイコースとして登録することができるのみならず、複数の推奨周回コースのいずれも気に入らない場合には、会員自らが距離を指定してマイコースとして登録することができる。このとき、図示の宿泊しているホテルを含むような閉ループを設定すれば、宿泊ホテルが含まれる周回コースをマイコースとして登録することもできる。
【００６３】
（第６の実施の形態）
本発明の第６の実施の形態も、インターネット５００を介して接続された会員端末とＳＮＳサイト１０のサーバー１１とを用いるコース作成支援システムである。図１６は、本実施の形態におけるサーバー１１の処理手順を示すフローチャートである。サーバー１１は、会員端末からの要求に応じて地図データを送信し、会員端末に地図を表示させる（ステップＳ６０２）。会員は、表示された地図を参照しつつ、図１７に示す公園５１８、川原５１９、郵便局５２０のように、周回コース中に含めようとする複数のランドマークを指定する。サーバー１１はこれを受信し、複数の中心ランドマークを設定する（ステップＳ６０２）。
【００６４】
更に、会員が指定したランドマークを巡る順番を指定すると、サーバー１１はこれを受信し、ランドマークを巡る順番を設定する（ステップＳ６０３）。これにより、例えば下記のようなランドマークの順番が設定される。
１番：公園５１８
２番：川原５１９
３番：郵便局５２０
【００６５】
しかる後に、サーバー１１は、この順番で各ランドマークを巡る周回コースを作成し、この作成した周回コースと距離（１２．７ｋｍ）とを会員端末に送信して表示させる（ステップＳ６０４）。この表示されたコース及び距離を視認した会員は、当該周回コース及び距離が満足である場合には、リスト端末２−１で入力部２５６を操作してＯＫ信号を送信する。サーバー１１は、当該会員リスト端末２−１からのＯＫ信号を受信したか否かを判断する（ステップＳ６０５）。そして、ＯＫ信号を受信したならば、当該距離のコースを当該会員のマイコース１３０１〜１３０３として登録する（ステップＳ６０６）。
【００６６】
ステップＳ６０６の判断がＮＯであって、リスト端末２−１からＯＫ信号を受信しない場合には、補正距離を示す情報を受信したか否かを判断する（ステップＳ６０７）。補正距離を示す情報を受信したならば、当該補正距離であって、前記順番で各ランドマークを巡る周回コースを作成し、この作成した周回コースと距離とを会員端末に送信して表示させる（ステップＳ６０４）。
【００６７】
したがって、本実施の形態によれば、図１７に示すように、補正距離として１０ｋｍを指定すると、同図に鎖線で示すように、距離補正が実行されて、会員が所望する複数のランドマークを、所望する順序で巡る所望する距離からなる周回コースを登録することができる。
【００６８】
（第７の実施の形態）
本発明の第７の実施の形態は、インターネット５００を介して接続された会員端末とＳＮＳサイト１０のサーバー１１とを用いるコース作成支援システムである。図１８は、本実施の形態におけるサーバー１１の処理手順を示すフローチャートである。サーバー１１は時間優先モードが選択されたか否を判断する（ステップＳ７０１）。会員が、自己の会員端末を操作して時間優先モードを選択すると、この時間優先モードを選択した情報がサーバー１１に送信され、サーバー１１は時間優先モードが選択されたと判断する（ステップＳ７０１：ＹＥＳ）。したがって、サーバー１１はステップＳ７０１からステップＳ７０２に処理を進めて、６０分、３０分、１５分のコースを作成し、この作成した複数の周回コースと距離とを会員端末に送信して表示させる（ステップＳ７０２）。このステップＳ７０２での処理により、図１９に示すように、推奨１（６０分コース）、推奨２（３０分コース）、推奨３（１５分コース）の周回コースが表示される。
【００６９】
このとき、予めスタート地点を指定しておくことも可能であり、この場合には、図示のように、自宅あるいは宿泊しているホテルをスタート地点とした推奨１〜３コースを作成して表示する。
【００７０】
この表示されたコース及び距離を視認した会員は、推奨１〜推奨３コースのいずれかが満足である場合には、会員端末を操作して当該推奨コースを選択するとともにＯＫ信号を送信する。サーバー１１は、当該会員リスト端末２−１からの推奨コース番号とＯＫ信号を受信したか否かを判断する（ステップＳ７０３）。そして、ＯＫ信号を受信したならば、当該選択された推奨コース及びその距離を当該会員のマイコース１３０１〜１３０３として登録する（ステップＳ７０６）。
【００７１】
ステップＳ７０３の判断がＮＯであって、リスト端末２−１からＯＫ信号を受信しない場合には、時間優先モードではなく距離優先モードを自動設定し、７ｋｍ、５ｋｍ、３ｋｍのコースを作成し、この作成した複数の周回コースと距離とを会員端末に送信して表示させる（ステップＳ７０５）。この表示されたコース及び距離を視認した会員は、３コースのいずれかが満足である場合には、会員端末を操作して当該推奨コースを選択するとともにＯＫ信号を送信する。サーバー１１は、当該会員リスト端末２−１からの推奨コース番号とＯＫ信号を受信したか否かを判断する（ステップＳ７０５）。そして、ＯＫ信号を受信したならば、当該選択されたコース及びその距離を当該会員のマイコース１３０１〜１３０３として登録する（ステップＳ７０６）。
【００７２】
ステップＳ７０５の判断がＮＯであって、リスト端末２−１からＯＫ信号を受信しない場合には、引き続き会員端末から送信されてくる補正情報に基づき、時間を補正する（ステップＳ７０７）。そして、この補正した時間からなる補正コースを作成し、その距離とももに会員端末に送信して表示させる（ステップＳ７０８）。
【００７３】
したがって、図１９に示すように、推奨１（６０分コース）、推奨２（３０分コース）、推奨３（１５分コース）のいずれも気に入らず、会員が時間を「２０分」に補正したとすると、推奨１（６０分コース）、推奨２（３０分コース）、推奨３（１５分コース）以外に、補正コース５２１（２０分コース）が作成されて表示されることとなる。そして、この補正コース５２１（２０分コース）を選択してＯＫ操作を行えば、補正コース５２１（２０分コース）がマイコースとして登録される。
【００７４】
したがって、本実施の形態によれば、時間優先モードの状態では、所要時間が異なる複数のコースが作成され、距離優先モードの状態では、距離が異なる複数のコースが作成され、これらの中から希望のコースをマイコースとして登録することができる。更に、会員の所望する時間を要するコースも自動作成することもできる。
【００７５】
以上、この発明の実施形態について説明したが、この発明はこれらに限定されるものではなく、特許請求の範囲に記載された発明とその均等の範囲を含むものである。
以下に、本願出願時の特許請求の範囲を付記する。
【００７６】
＜請求項１＞
コースを作成する際に作成条件情報として、エリアを示すエリア情報、ランドマークを示すランドマーク情報の少なくとも１つを取得する取得手段と、
前記取得手段により取得された作成条件情報に基づき、周回可能なコースの構成要素を特定する特定手段と、
前記特定手段により特定された構成要素を含むように周回コースを作成する作成手段と
を備えることを特徴とするコース作成支援装置。
＜請求項２＞
前記取得手段は、前記作成条件情報として、さらに、コースの距離を示す情報を取得することを特徴とする請求項１記載のコース作成支援装置。
＜請求項３＞
前記取得手段は、前記作成条件情報として、さらに、コースの所要時間を示す情報を取得することを特徴とする請求項１記載のコース作成支援装置。
＜請求項４＞
前記作成手段により作成されたコースを補正する補正手段をさらに備えることを特徴とする請求項１乃至３のいずれかに記載のコース作成支援装置。
＜請求項５＞
前記補正手段は、コースの経路を補正する経路補正手段、所要時間を補正する時間補正手段、距離を補正する距離補正手段の少なくとも一つを含むことを特徴とする請求項４記載のコース作成支援装置。
＜請求項６＞
前記作成手段により作成され、又は前記補正手段により補正されたコースを記録する記録手段をさらに備えることを特徴とする請求項１乃至５のいずれかに記載のコース作成支援装置。
＜請求項７＞
前記作成手段により作成され、又は前記補正手段により補正されたコースを表示する表示手段をさらに備えることを特徴とする請求項１乃至５のいずれかに記載のコース作成支援装置。
＜請求項８＞
前記作成手段により作成され、又は前記補正手段により補正されたコースをインターネットに送信する送信手段をさらに備えることを特徴とする請求項１乃至５のいずれかに記載のコース作成支援装置。
＜請求項９＞
前記取得手段はコースを作成する際に作成条件情報として、エリアを示すエリア情報を取得し、前記作成手段は前記エリア情報の示すエリア内で距離が最大となるコースを作成することを特徴とする請求項１乃至５のいずれかに記載のコース作成支援装置。
＜請求項１０＞
コンピュータを、
コースを作成する際に作成条件情報として、エリアを示すエリア情報、ランドマークを示すランドマーク情報の少なくとも１つを取得する取得手段と、
前記取得手段により取得された作成条件情報に基づき、周回可能なコースの構成要素を特定する特定手段と、
前記特定手段により特定された構成要素を含むように周回コースを作成する作成手段と
して機能させることを特徴とするプログラム。
＜請求項１１＞
コースを作成する際に作成条件情報として、エリアを示すエリア情報、ランドマークを示すランドマーク情報の少なくとも１つを取得する取得ステップと、
前記取得ステップで取得された作成条件情報に基づき、周回可能なコースの構成要素を特定する特定ステップと、
前記特定ステップで特定された構成要素を含むように周回コースを作成する作成ステップと
を含むことを特徴とするコース作成支援方法。
＜請求項１２＞
ネットワークを介して接続される端末とサーバーとで構成されるコース作成支援システムにおいて、
前記端末は、
コースを作成する際に作成条件情報として、エリアを示すエリア情報、ランドマークを示すランドマーク情報の少なくとも１つを取得する取得手段と、
前記取得手段により取得された作成条件を送信する送信手段と、
を備え、
前記サーバーは、
前記送信手段により送信された前記条件を受信する受信手段と、
前記受信手段により受信された作成条件情報に基づき、周回可能なコースの構成要素を特定する特定手段と、
前記特定手段により特定された構成要素を含むように周回コースを作成する作成手段と
を備えることを特徴とするコース作成支援システム。
＜請求項１３＞
前記サーバーは、
前記作成手段により作成されたコースを補正する補正手段をさらに備えることを特徴とする請求項１２記載のコース作成支援システム。
＜請求項１４＞
前記サーバーは、
前記作成手段により作成され、又は前記補正手段により補正した周回コースを前記端末に送信する送信手段を備えることを特徴とする請求項１２又は１３記載のコース作成支援システム。
＜請求項１５＞
前記サーバーは、
前記作成手段により作成され、又は前記補正手段により補正されたコースを記録する記録手段をさらに備えることを特徴とする請求項１２又は１３記載のコース作成支援システム。
＜請求項１６＞
前記端末は、
前記サーバーから受信したコースを記録する記録手段をさらに備えることを特徴とする請求項１２又は１３記載のコース作成支援システム。
＜請求項１７＞
ネットワークを介して接続される端末とサーバーとで構成されるコース作成支援システムにおける前記端末であって、
コースを作成する際に作成条件情報として、エリアを示すエリア情報、ランドマークを示すランドマーク情報の少なくとも１つを取得する取得手段と、
前記取得手段により取得された作成条件を送信する送信手段と
を備えることを特徴とする端末。
＜請求項１８＞
ネットワークを介して接続される端末とサーバーとで構成されるコース作成支援システムにおける前記サーバーであって、
前記端末の送信手段により送信されたコースを作成する際に作成条件情報としてのエリアを示すエリア情報、ランドマークを示すランドマーク情報の少なくとも１つを受信する受信手段と、
前記受信手段により受信された作成条件情報に基づき、周回可能なコースの構成要素を特定する特定手段と、
前記特定手段により特定された構成要素を含むように周回コースを作成する作成手段と
を備えることを特徴とするサーバー。
【符号の説明】
【００７７】
１−１、１−２    スマホ端末
２−１、２−２、２−３    リスト端末
３    ＰＣ
１０    ＳＮＳサイト
１１    サーバー
４０    表示部
１０２    ＣＰＵ
１０４    プログラムメモリ
１３０    コースメモリ
２０２    ＣＰＵ
２５０    ＧＰＳ部
２５２    センサー
２５６    入力部
３４０    表示部
５００    インターネット
５０１    スタート地点
５０２    ゴール地点
５０３    会員
５０４    補正スタート地点
５０５    補正ゴール地点
５０８    ランドマーク
５１０    閉ループ
５８１    ランドマーク
５８１    再度ランドマーク
２０４１    制御プログラム
２０４２    アプリケーションプログラム
３０４１    制御プログラム
３０４２    アプリケーションプログラム
【図１】
2014061260.tif 000003
【図２】
2014061260.tif 000004
【図３】
2014061260.tif 000005
【図４】
2014061260.tif 000006
【図５】
2014061260.tif 000007
【図６】
2014061260.tif 000008
【図７】
2014061260.tif 000009
【図８】
2014061260.tif 000010
【図９】
2014061260.tif 000011
【図１０】
2014061260.tif 000012
【図１１】
2014061260.tif 000013
【図１２】
2014061260.tif 000014
【図１３】
2014061260.tif 000015
【図１４】
2014061260.tif 000016
【図１５】
2014061260.tif 000017
【図１６】
2014061260.tif 000018
【図１７】
2014061260.tif 000019
【図１８】
2014061260.tif 000020
【図１９】
2014061260.tif 000021